(57)【要約】      （修正有）【課題】花弁や葉に捺印する際に便利なスタンプを提供する。【解決手段】２つのアーム２１，２２の一端を相互に連結して火ばさみ状としたスタンプ治具２と、該スタンプ治具の一方のアーム２１の他端に着脱可能に装着された印判と、前記スタンプ治具の他方のアーム２２の他端に着脱可能に装着され、前記印判の大きさに応じた大きさに形成されたスタンプ捺印台とを備え、前記スタンプ捺印台は、前記印判の大きさ以上の大きさに形成されている。【選択図】図１
0003167616.tif 000002
【実用新案登録請求の範囲】
【請求項１】
２つのアームの一端を相互に連結して火ばさみ状としたスタンプ治具と、
前記スタンプ治具の一方のアームの他端に装着された印判と、
前記スタンプ治具の他方のアームの他端に装着され、前記印判の大きさに応じた大きさに形成されたスタンプ捺印台と、を備えることを特徴とする花用スタンプ。
【請求項２】
前記スタンプ捺印台は、前記印判の大きさ以上の大きさに形成されていることを特徴とする花用スタンプ。
【請求項３】
前記印判及び前記スタンプ捺印台は、前記アームの他端に対して着脱可能に装着されることを特徴とする花用スタンプ。
【請求項４】
複数の印判と各印判に対応したスタンプ捺印台とを備え、目的とする印影に応じて前記印判と前記スタンプ捺印台が前記各アームの各他端に装着されることを特徴とする花用スタンプ。
【考案の詳細な説明】
【技術分野】
【０００１】
本考案は、花弁や葉に所望の印影を捺印する花用スタンプ（印判）に関するものである。
【背景技術】
【０００２】
各種お祝いの贈答用花の花弁や葉にお祝いの言葉をスタンプで捺印する要請がある。ゴム印などの一般的なスタンプ（特許文献１参照）を用いる場合は、一方の手でスタンプを把持しながらもう一方の手や指を花弁や葉の裏側に押し当ててスタンプの台座にして捺印しないとうまく捺印することができない。しかし、花弁が複雑に重なり合った花の場合などは、手や指を花弁の裏に差し込むことができないことがある。またいちいち片手で花弁や葉を押さえて捺印するのは非効率的な作業である。
【先行技術文献】
【特許文献】
【０００３】
【特許文献１】実用新案登録第３１４８４１８号公報
【考案の概要】
【考案が解決しようとする課題】
【０００４】
本考案が解決しようとする課題は、花弁や葉に捺印する際に便利なスタンプを提供することである。
【課題を解決するための手段】
【０００５】
本考案は、２つのアームの一端を相互に連結して火ばさみ状としたスタンプ治具の一方のアームの他端に印判を装着するとともに、他方のアームの他端に印判の大きさに応じた大きさに形成されたスタンプ捺印台を装着することで、上記課題を解決する。
【考案の効果】
【０００６】
本考案によれば、火ばさみ状のスタンプ治具を花弁や葉に差し込んで挟み込むことで印判の印影を花弁や葉に捺印できるので、重なり合った花弁や葉にも捺印でき、また片手でも作業できる便利な花用スタンプを提供することができる。
【図面の簡単な説明】
【０００７】
【図１】本考案の一実施の形態に花用スタンプを示す斜視図である。
【図２】図１のスタンプ治具の一方のアームの先端を示す斜視図である。
【図３】図２のIII-III線に沿う断面図である。
【考案を実施するための形態】
【０００８】
本考案に係る花用スタンプ１は、花の花弁や葉に所望の印影を捺印するための印章であり、２つのアーム２１，２２の一端を相互に連結して火ばさみ状としたスタンプ治具２と、スタンプ治具２の一方のアーム２１の他端に装着された印判３と、スタンプ治具２の他方のアーム２２の他端に装着され、印判４の大きさに応じた大きさに形成されたスタンプ捺印台４と、を備える。
【０００９】
スタンプ治具２は、金属やプラスチックなどの材料から構成され、２つのアーム２１，２２の連結部が弾性変形し、アーム２１，２２を把持して握ると火ばさみのようにアーム２１，２２の先端部が開閉する。アーム２１，２２の形状や大きさ、長さは特に限定されず、使用される花の花弁や葉の大きさ、形状に応じて適宜設定すればよい。
【００１０】
各アーム２１，２２の先端は、アーム２１，２２を握ったときに互いに当接する板状に形成され、ここに印判４とスタンプ捺印台４がそれぞれ装着される。
【００１１】
印判３は、図２に示すように、所望の印影を捺印するための印面３１と、この印面３１を保持するブラケット３２とからなり、印面３１はゴムや樹脂などにより構成され、印影となる刻印がされている。
【００１２】
ブラケット３２は、金属やプラスチックなどにより構成され、アーム２１の先端に挿入できるように折り曲げられ、さらに把持部３３が形成されている。印面３１はブラケット３２に接着などの手段により固定され、印面３１が固定されたブラケット３２をアーム２１の先端に挿入することで、印判３をスタンプ治具２に対して着脱可能に装着できるようになっている。なお、把持部３３は印判３を着脱する際に把持する部分である。
【００１３】
なお、図示は省略するが、印面３１に応じて適宜の大きさに形成された印判３が複数用意され、一つのスタンプ治具２に対して印判３を交換することで所望の印影を花弁や葉に捺印することができる。
【００１４】
他方のアーム２２の先端にはスタンプ捺印台４が着脱可能に装着される。スタンプ捺印台４は、図２の印判２と同様に、ブラケット４２に台本体４１を接着等により固定することで構成され、ブラケット４２を図３の断面図に示すようにアーム２２に挿入することで、スタンプ捺印台４をスタンプ治具２に対して着脱可能に装着できるようになっている。
【００１５】
スタンプ捺印台４は、スポンジなどのように弾性を有する平板部材であり、印面３１の大きさ以上の大きさに形成されている。そして、このスタンプ捺印台４も印判３に応じて適宜の大きさに形成されたものが複数用意され、一つのスタンプ治具２に対してスタンプ捺印台４を交換することで所望の印影を捺印する際のスタンプ捺印台として機能する。
【００１６】
本考案によれば、図３に示すようにスタンプ治具２のアーム２１，２２の間に花弁や葉Ｆを挿入した状態でアーム２１，２２を握れば、印面３１と台本体４１とが花弁や葉Ｆを挟み、これにより花弁や葉に印影を捺印することができる。
【符号の説明】
【００１７】
１…花用スタンプ
２…スタンプ治具
２１，２２…アーム
３…印判
３１…印面
３２…ブラケット
３３…把持部
４…スタンプ捺印台
４１…台本体
４２…ブラケット
【図１】
0003167616.tif 000003
【図２】
0003167616.tif 000004
【図３】
0003167616.tif 000005
【手続補正書】
【提出日】平成23年2月24日(2011.2.24)
【手続補正１】
【補正対象書類名】実用新案登録請求の範囲
【補正対象項目名】全文
【補正方法】変更
【補正の内容】
【実用新案登録請求の範囲】
【請求項１】
２つのアームの一端を相互に連結して火ばさみ状としたスタンプ治具と、
前記スタンプ治具の一方のアームの他端に装着された印判と、
前記スタンプ治具の他方のアームの他端に装着され、前記印判の大きさに応じた大きさに形成されたスタンプ捺印台と、を備えることを特徴とする花用スタンプ。
【請求項２】
請求項１に記載の花用スタンプにおいて、
前記スタンプ捺印台は、前記印判の大きさ以上の大きさに形成されていることを特徴とする花用スタンプ。
【請求項３】
請求項１又は２に記載の花用スタンプにおいて、
前記印判及び前記スタンプ捺印台は、前記アームの他端に対して着脱可能に装着されることを特徴とする花用スタンプ。
【請求項４】
請求項１〜３のいずれか一項に記載の花用スタンプにおいて、
複数の印判と各印判に対応したスタンプ捺印台とを備え、目的とする印影に応じて前記印判と前記スタンプ捺印台が前記各アームの各他端に装着されることを特徴とする花用スタンプ。